【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
・光のビーム（４）を遠隔プローブボリューム（６）へと合焦させるための送信器とであって、送信器が可変合焦機構を備え、少なくとも1つの測定遠隔プローブボリュームおよび少なくとも1つの基準遠隔プローブボリュームを備える複数の遠隔プローブボリュームへと光を順次合焦させるように構成される送信器と、
・後方散乱光を検出するための受信器と、
・前記検出された後方散乱光の周波数のドップラーシフトから、前記遠隔プローブボリュームにおける風速を計算するための分析器と、
を備える、大気の風速測定のためのコヒーレント・レーザー・レーダー装置（２）であって、
分析器が、検出された後方散乱光において遠隔プローブボリュームのレンジよりも大きいレンジに位置する雲による後方散乱から生じるドップラー周波数成分に対して、前記測定遠隔プローブボリュームおよび基準遠隔プローブボリュームの各々における各々の測定について、検出された後方散乱光の強度をドップラーシフト周波数の関数として備えるドップラースペクトルを生成するように構成され、測定プローブボリュームのために生成されたドップラースペクトルを補正するように基準遠隔プローブボリュームのために生成された少なくとも1つのドップラースペクトルを使用するように構成されていることを特徴とする、装置。
【請求項２】
測定プローブボリュームのために生成されたドップラースペクトルを補正するステップが、測定ドップラースペクトルの各々から少なくとも１つの基準ドップラースペクトルを減算することを備える、請求項１に記載の装置。
【請求項３】
大気の後方散乱断面をレンジの関数として測定するための大気後方散乱プロファイラ（８２）をさらに備える、請求項１または２のいずれか一項に記載の装置。
【請求項４】
分析器が、大気後方散乱プロファイラ（８２）によって測定された後方散乱プロファイルを取り入れ、前記プロファイルを測定プローブボリュームのために生成されたドップラースペクトルを補正するステップにおいて使用して、計算した風速が検出された後方散乱光において遠隔プローブボリュームのレンジよりも大きいレンジに位置する雲による後方散乱から生じるドップラー周波数成分について補正されていることを保証するように構成されている、請求項３に記載の装置。
【請求項５】
送信器によって送信される光のビームを遠隔プローブボリューム内で走査（２２）するため、走査手段が設けられている、請求項１から４のいずれか一項に記載の装置。
【請求項６】
分析器が、遠隔プローブボリューム内の複数の既知の走査位置について、視線風速値を割り出し、該遠隔プローブボリュームにおける少なくとも１つの風速成分を、前記複数の視線風速値を所定の関数に回帰させることによって計算するように構成されている、請求項５に記載の装置。
【請求項７】
分析器が、計算した視線風速値の各々が、検出された後方散乱光において遠隔プローブボリュームのレンジよりも大きいレンジに位置する雲による後方散乱から生じるドップラー周波数成分について補正されていることを保証するように構成されている、請求項６に記載の装置。
【請求項８】
分析器が、走査の際に取得された１つ以上の視線風速値を、前記少なくとも１つの風速成分の計算から除外するように構成されている、請求項６または７のいずれか一項に記載の装置。
【請求項９】
使用時に、受信ビームの焦点が送信ビームの焦点に一致するように配置される、請求項１から８のいずれか一項に記載の装置。
【請求項１０】
装置がモノスタティックである、請求項１から９のいずれか一項に記載の装置。
【請求項１１】
受信器によって集められる後方散乱光が、検出に先立って送信器の光源から抽出された局部発振器信号と混合される、請求項１から１０のいずれか一項に記載の装置。
【請求項１２】
少なくとも１片の光ファイバを備える、請求項１から１１のいずれか一項に記載の装置。
【請求項１３】
地上に設置され上方に向けられて動作するように構成されている、請求項１から１２のいずれか一項に記載の装置。
【請求項１４】
（ｉ）コヒーレント・レーザー・レーダー装置（２）によって複数の遠隔プローブボリューム（６）から取得されたドップラー周波数データを取り入れ、第１のレンジ限界よりも小さいレンジにある１つ以上の測定遠隔プローブボリュームから取得された第１組のドップラースペクトル、および前記第１のレンジ限界よりも大きいレンジにある１つ以上の遠隔プローブボリュームから取得された第２組のドップラースペクトルを形成するステップと、
（ｉｉ）コヒーレント・レーザー・レーダー装置の前記遠隔プローブボリュームにおける風速を、ドップラー周波数データから計算するステップと、
を備える、大気の風速を計算するための方法であって、
ステップ（ｉｉ）が、
前記第１組のドップラースペクトルの各々から計算される風速が、遠隔プローブボリュームのレンジよりも大きいレンジに位置する雲による後方散乱から生じるドップラー周波数成分について補正されていることを保証するために、前記第２組のドップラースペクトルを使用するステップを備えることを特徴とする、方法。
【請求項１５】
前記風速の計算が、前記第２組のドップラースペクトルを前記第１組のドップラースペクトルの各々から減算すステップを備える、請求項１４に記載の方法。
【請求項１６】
コヒーレント・レーザー・レーダー装置の近傍に位置する大気後方散乱プロファイラ（８２）によって測定された後方散乱プロファイルを取り入れて、該後方散乱プロファイルを、前記第１組のドップラースペクトルの各々から計算された風速を補正するステップにおいて使用するステップをさらに備える、請求項１４または１５のいずれか一項に記載の方法。
【請求項１７】
前記ドップラー周波数データが、各々の遠隔プローブボリュームから取得された複数のドップラースペクトルを備えており、前記複数のドップラースペクトルの各々が、前記遠隔プローブボリューム内の既知の走査位置から取得されている、請求項１４から１６のいずれか一項に記載の方法。
【請求項１８】
視線速度値が、前記遠隔プローブ内の各走査位置の各ドップラースペクトルから計算され、遠隔プローブボリュームにおける風速を計算するステップが、前記視線速度値の少なくともいくつかを所定の関数に回帰させるステップを備える、請求項１７に記載の方法。
【請求項１９】
遠隔プローブボリュームにおける少なくとも１つの風速成分を計算するステップにおいて使用されるべく選択された少なくともいくつかの視線速度値が、最初の回帰からの偏差が所定の量よりも小さい視線速度値を備える、請求項１８に記載の方法。
【請求項２０】
少なくとも遠隔プローブボリュームにおける少なくとも１つの風速成分を計算するステップにおいて使用されるべく選択された視線速度値が、最初の回帰からの偏差が最も大きいＮ個の視線速度値を除外しており、Ｎが１以上かつ視線速度値の数よりも小さい所定の整数である、請求項１８に記載の方法。
【請求項２１】
ステップ（ｉ）が、少なくとも１つの遠隔プローブボリュームからドップラー周波数データを取得するためにコヒーレント・レーザー・レーダー装置を使用するステップを備える、請求項１４から２０のいずれか一項に記載の方法。
【請求項２２】
請求項１４から２０のいずれか一項に記載の方法を実行するためのコンピュータプログラム。
【請求項２３】
請求項１４から２０のいずれか一項に記載の方法を実行するために適したコンピュータプログラムを機械で読み取ることができる形式で備える、コンピュータプログラムキャリヤ。
【請求項２４】
請求項１４から２０のいずれか一項に記載の方法を実行するために適切にプログラムされたコンピュータ。